(57)【特許請求の範囲】
【請求項１】
略鉛直方向に沿って延びる遊技盤と、前記遊技盤の前方において前記遊技盤の前面と略平行して延びる透明部材とを備え、前記遊技盤と前記透明部材との間に、所定の発射装置により発射された遊技球が案内される遊技領域を具備する遊技機であって、
遊技領域の所定部位における遊技球の通過を規制する第１状態と、前記所定部位における遊技球の通過を許容する第２状態とに変位可能な可動部材と、
前記第２状態にある前記可動部材を収容する収容部と
を具備する通過規制手段と、
前記所定部位における遊技球の移動方向を略鉛直方向に限定する進路限定手段とを備え、
前記可動部材は、前記第２状態において前方に上方傾斜する姿勢とされ、かつ、前記第１状態において、前方に上方傾斜する第１姿勢と、前方に下方傾斜する第２姿勢との間を変位可能に構成され、
前記可動部材の側面又は前記収容部の側壁部のうち一方には、前後方向に延びるガイド手段が設けられ、他方には、前記ガイド手段に挿通される軸部が設けられ、
少なくとも前記第１状態における前記可動部材の重心は、前記軸部よりも前方に位置し、
前記可動部材は少なくとも一部が磁性体よりなり、前記透明部材の前面に近付けられた磁石に引き付けられて磁化された遊技球が前記所定部位に近付くと、前記第２状態にある前記可動部材が、前記磁化された遊技球に引き付けられて、前方に向けて斜め上方にスライド変位し、前記所定部位へと突出して、前記第１状態の前記第１姿勢となり、
前記第１状態の前記第１姿勢とされた前記可動部材は、磁石に引き付けられて磁化された遊技球によって下方に押圧された場合、又は、遊技球を磁化していた磁石が遊技機から遠ざけられた場合に、前記第１状態の前記第２姿勢となることを特徴とする遊技機。
【請求項２】
前記可動部材は、上方に近接した前記磁化された遊技球に引き付けられて前記第２状態から前記第１状態の前記第１姿勢へと変位する場合に、前記磁化された遊技球に対して最初に当接する部位又は最も近接する部位である引導部と、前記引導部よりも前方かつ下方に位置する支持部とを備え、
前記第１状態の前記第２姿勢にある前記可動部材の前記支持部は、前記透明部材の後面に摺接しつつ接近する前記磁化された遊技球の下面のうち、最下点及び当該最下点よりも前側の部位の少なくとも一部に対して当接可能に構成されていることを特徴とする請求項１に記載の遊技機。
【発明の詳細な説明】
【技術分野】
【０００１】
本発明は、パチンコ機等の遊技機に関するものである。
【背景技術】
【０００２】
一般にパチンコ機等の遊技機では、遊技盤と遊技盤の前方に設けられたガラスとを備えており、遊技盤とガラスとの間の空間の大部分が、発射装置により発射された遊技球が案内されて流下する遊技領域となっている。そして、遊技領域に設けられた入球手段に遊技球が入球すると、所定数の遊技球が遊技者に払出される構成となっている。また、例えば、入球手段のうち特定の入球手段に遊技球が入球すると当たり状態を発生させるか否か当否抽選が行われ、当否抽選に当選して当たり状態が発生すると、遊技者は賞球を獲得することが可能となるものもある（例えば、特許文献１参照）。
【先行技術文献】
【特許文献】
【０００３】
【特許文献１】特開２００７−１４６６１号公報
【発明の概要】
【発明が解決しようとする課題】
【０００４】
ところで、遊技球は鉄製であるため、例えば、遊技領域前方のガラスに強力な磁石が近付けられると、発射装置によって打ち出された遊技球がガラス越しに磁石に引き付けられてしまう。従って、遊技球を引き付けた磁石を動かすことによって、遊技球を入球手段へと誘導して入球させるといった不正行為が行われるおそれがある。
【０００５】
本発明は、上記例示した問題点等を解決するためになされたものであり、その目的は、磁石を用いて遊技球を遊技領域の所定領域へと誘導するといった不正行為を防止することのできる遊技機を提供することにある。
【課題を解決するための手段】
【０００６】
本発明の遊技機は、
略鉛直方向に沿って延びる遊技盤と、前記遊技盤の前方において前記遊技盤の前面と略平行して延びる透明部材とを備え、前記遊技盤と前記透明部材との間に、所定の発射装置により発射された遊技球が案内される遊技領域を具備する遊技機であって、
遊技領域の所定部位における遊技球の通過を規制する第１状態と、前記所定部位における遊技球の通過を許容する第２状態とに変位可能な可動部材と、
前記第２状態にある前記可動部材を収容する収容部と
を具備する通過規制手段と、
前記所定部位における遊技球の移動方向を略鉛直方向に限定する進路限定手段とを備え、
前記可動部材は、前記第２状態において前方に上方傾斜する姿勢とされ、かつ、前記第１状態において、前方に上方傾斜する第１姿勢と、前方に下方傾斜する第２姿勢との間を変位可能に構成され、
前記可動部材の側面又は前記収容部の側壁部のうち一方には、前後方向に延びるガイド手段が設けられ、他方には、前記ガイド手段に挿通される軸部が設けられ、
少なくとも前記第１状態における前記可動部材の重心は、前記軸部よりも前方に位置し、
前記可動部材は少なくとも一部が磁性体よりなり、前記透明部材の前面に近付けられた磁石に引き付けられて磁化された遊技球が前記所定部位に近付くと、前記第２状態にある前記可動部材が、前記磁化された遊技球に引き付けられて、前方に向けて斜め上方にスライド変位し、前記所定部位へと突出して、前記第１状態の前記第１姿勢となり、
前記第１状態の前記第１姿勢とされた前記可動部材は、磁石に引き付けられて磁化された遊技球によって下方に押圧された場合、又は、遊技球を磁化していた磁石が遊技機から遠ざけられた場合に、前記第１状態の前記第２姿勢となることを特徴としている。
【発明の効果】
【０００７】
本発明によれば、磁石を用いて遊技球を遊技領域の所定領域へと誘導するといった不正行為を防止することができる。
【図面の簡単な説明】
【０００８】
【図１】一実施形態におけるパチンコ機を示す正面図である。
【図２】パチンコ機の斜視図である。
【図３】パチンコ機の右側面図である。
【図４】内枠、前面枠セット、及び裏パックユニットを開放した状態を示す斜視図である。
【図５】内枠及び遊技盤の構成を示す正面図である。
【図６】パチンコ機の構成を示す背面図である。
【図７】電気的構成を示すブロック図である。
【図８】遊技盤に取付けられた通過規制役物を示す正面図である。
【図９】（ａ）は規制突起が第２の状態にあるときの通過規制役物を示し、（ｂ）は規制突起が第１の状態にあるときの通過規制役物を示す斜視図である。
【図１０】（ａ）は規制突起が第２の状態にあるときの通過規制役物を示し、（ｂ）は規制突起が第１の状態かつ磁化された遊技球が規制突起の直上方にあるときの通過規制役物を示し、（ｃ）は規制突起が第１の状態にあり、第２角状部と磁化された遊技球とが当接したときの通過規制役物を示す模式断面図である。
【図１１】通過規制役物の背面図である。
【図１２】別の実施形態における規制突起の先端部形状を示す側面図である。
【図１３】別の実施形態における規制突起の先端部形状を示す側面図である。
【図１４】別の実施形態における規制突起の先端部形状を示す側面図である。
【図１５】別の実施形態における規制突起の先端部形状を示す側面図である。
【図１６】別の実施形態における規制突起の先端部形状を示す側面図である。
【図１７】別の実施形態における通過規制役物の模式断面図である。
【発明を実施するための形態】
【０００９】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１０】
図１乃至図４に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００１１】
外枠１１には、その左辺部において上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。さらに、外枠１１下部には、樹脂製の幕板飾り８５が取着されている。
【００１２】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１３】
また、内枠１２の前面側には、前扉としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１４】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１５】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００１６】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００１７】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００１８】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００１９】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰが設けられるとともに、当該スピーカＳＰの前側にスピーカカバー２４が取着されている。
【００２０】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。本実施形態では、ガラスユニット１３７が透明部材を構成する。
【００２１】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２２】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる排出球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び排出球通路７１を介して下皿１５に排出される。また、排出球通路７１の下側にはハーネスカバー７４が設けられている。これにより中継基板７５と発射装置７０とを接続するハーネス（図示略）をまとめている。
【００２３】
次に、遊技盤３０の構成について図５を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応ユニット３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応ユニット３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２４】
可変表示装置ユニット３５には、第２契機対応口３４の通過をトリガとして変動表示する普通図柄表示装置４１と、第１契機対応ユニット３３への入賞をトリガとして変動表示する特別表示装置４３と、特別表示装置４３による変動表示に合わせて変動表示する可変表示装置としての装飾図柄表示装置４２とが設けられている。
【００２５】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応ユニット３３が所定時間だけ作動状態となる（開放される）。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００２６】
特別表示装置４３は、普通図柄表示装置４１の側方に設けられた複数の発光部により構成され、遊技球が第１契機対応ユニット３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００２７】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。
【００２８】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、第１契機対応ユニット３３の直上方の遊技領域へと通じる案内通路１５５と連通しており、該ポケット１５４に入球した遊技球は、比較的高い確率で第１契機対応ユニット３３に入球するようになっている。
【００２９】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３０】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上（遊技盤３０とガラスユニット１３７との間の空間）に形成された遊技領域内に案内される。レール５０は内レール構成部５１と外レール構成部５２とからなる。
【００３１】
内レール構成部５１の先端部分（図５の左上部）には戻り球防止部材５３が取着されている。これにより、一旦、レール５０から遊技盤３０の上部へと案内された遊技球が再度レール５０内に戻ってしまうといった事態が防止される。
【００３２】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。
【００３３】
次に、パチンコ機１０の背面の構成を図６に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３４】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００３５】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００３６】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００３７】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００３８】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００３９】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００４０】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００４１】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００４２】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００４３】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００４４】
次に、裏パックユニット２０３の構成を説明する。裏パックユニット２０３は、樹脂成形された裏パック３５１と遊技球の払出機構部３５２とを一体化したものである。
【００４５】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。加えて、裏パックユニット２０３の左上部（図６では右上部）には外部中継端子板２４０が設けられており、外部中継端子板２４０に設けられた各出力端子を通じて、遊技ホール側の管理制御装置に対して遊技状態等に関する信号が出力される構成となっている。
【００４６】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。また、ケースレール３５７の最下流部には、払出モータや払出（球）検出スイッチ等を備える払出装置３５８が設けられており、賞球や貸球の発生に対応した数分の遊技球の払出が適宜行われる。そして、払出装置３５８より払い出された遊技球は上記上皿１９等に供給される。また、タンクレール３５６には、当該タンクレール３５６に振動を付加するバイブレータ３６０が取り付けられており、仮にタンクレール３５６付近で球詰まりが生じた際、バイブレータ３６０が駆動されることで球詰まりの解消が図られる。
【００４７】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００４８】
尚、本実施形態では、内枠１２は外枠１１に対し施錠され、前面枠セット１４及び裏パックユニット２０３は内枠１２に対し施錠される。これらの施錠機構は単一の施錠装置６００によって具現化されており、内枠１２の右側辺部（図６左側）に沿って取付けられている。施錠装置６００は、前面枠セット１４の前面側に露出するシリンダ錠７００（図１等参照）を備えており、該シリンダ錠７００の鍵穴に鍵を挿入し、一方側に回動操作することで内枠１２を解錠でき、他方側に回動操作することで前面枠セット１４及び裏パックユニット２０３を解錠できるようになっている。尚、裏パックユニット２０３の施錠機構を省略することとしてもよい。
【００４９】
さて、本実施形態では、入球手段としての第１契機対応ユニット３３の上方において通過規制手段としての通過規制役物４０１が設けられている（図５参照）。以下、通過規制役物４０１について図面を参照しつつ説明する。尚、図８は遊技盤３０に取付けられた通過規制役物４０１を示す正面図である。図９は通過規制役物４０１の斜視図であり、図１０は遊技盤３０に取付けられた通過規制役物４０１の模式断面図である。図１１は通過規制役物４０１の背面図である。尚、図１０では、便宜上、規制突起４０３のハッチングを省略するとともに、遊技領域に配置される釘等の各種役物や遊技盤３０の背面側の構成等の図示を省略する。
【００５０】
図９、図１０等に示すように、通過規制役物４０１は、透明な樹脂素材により一体的に形成され、遊技盤３０に固定される役物本体４０２（本体部）と、磁場の中におかれたときだけ磁石としての性質を持つ純鉄、軟鉄、ケイ素鋼、ソフトフェライト等の軟磁性体によって構成され、役物本体４０２に対してスライド可能に設けられる可動部材としての規制突起４０３とを備えている。役物本体４０２は、略鉛直方向に沿って延びる遊技盤３０の前面に対して当接状態で固定される平板状の基部４０５と、該基部４０５の背面から（遊技盤３０に形成された挿通孔４３１を介して）後方に延び、内側に規制突起４０３が挿通される四角筒状の収容部４０６とを備えている。
【００５１】
図１０（ａ）、図１１等に示すように、収容部４０６は、基部４０５の背面と直交する方向（基部４０５の背面と直交する方向）に延びる上壁部４１１と、上壁部４１１の左右側縁部から下方に延びる左側壁部４１２及び右側壁部４１３と、左右側壁部４１２、４１３の下縁部間を連結する下壁部４１４とを備えている。左右側壁部４１２、４１３の内面は、互いに平行している上、鉛直方向に延びている。また、図９、図１０（ｂ）等に示すように、左右側壁部４１２、４１３には、相対向して一対のガイド孔４１６が形成されている。ガイド孔４１６は基部４０５の背面に直交する方向に延びる長孔として構成される。また、図１０に示すように、本実施形態では、下壁部４１４は収容部４０６の前端部付近にしか形成されておらず、収容部４０６のうち下壁部４１４よりも後方の部位は下方に開口している。
【００５２】
図９等に示すように、基部４０５には、収容部４０６に挿通された規制突起４０３を前方に突出可能とするべく、収容部４０６（収容部４０６の内側に形成される中空部）に対応して前後に貫通する開口部４２１が形成されている。また、基部４０５には、開口部４２１の左右２箇所にねじ孔４２２が形成されている。さらに、図１１に示すように、基部４０５の背面には、収容部４０６の上方及び左側のねじ孔４２２の左方（図１１では右側のねじ孔４２２の右方）において、後方に突出する位置決め突起４２３が形成されている。
【００５３】
そして、図１０（ａ）に示すように、第１契機対応ユニット３３の上方位置において遊技盤３０に予め形成されている挿通孔４３１に対し、遊技盤３０の前方から収容部４０６を挿通し、基部４０５の背面を遊技盤３０の前面に当接させる。このとき、位置決め突起４２３を遊技盤３０前面に予め形成されている留め穴４３２に嵌め込んで位置決めする。それから、図８に示すように、ねじ孔４２２にねじ４３３を螺着する。以上のようにして、通過規制役物４０１が遊技盤３０に取付けられる。また、通過規制役物４０１の取付状態においては、ガイド孔４１６は遊技盤３０前面に直交する方向（すなわち略水平方向）に沿って延びている。尚、ねじ孔４２２は後方に向けて先細るテーパ状になっており、通過規制役物４０１の取付状態においては、ねじ孔４２２に螺着されたねじ４３３（皿ねじ）の頭部が基部４０５の前面と略面一となる。
【００５４】
また、基部４０５の周縁部は、前面側が面取り加工されることで、外周方向に向けて後方傾斜する傾斜面となっている。これにより、遊技盤３０の前方に突設される基部４０５の周縁部に遊技球が接触することに起因して遊技球の流下経路が大きく変更されてしまうといったおそれを抑制することができ、遊技盤３０に沿って流下してきた遊技球をスムースに基部４０５前方の遊技領域へと案内することができる。
【００５５】
尚、図８に示すように、一般に第１契機対応ユニット３３の上方には左右一対の釘（いわゆる命釘４４１、４４２）が配設され、当該一対の命釘４４１、４４２の間を通過した遊技球が第１契機対応ユニット３３へと入球する構成となっている。ちなみに、各命釘４４１、４４２と第１契機対応ユニット３３との間の距離は遊技球の直径よりも小さくなっている。
【００５６】
本実施形態では、一対の命釘４４１、４４２と第１契機対応ユニット３３とで囲まれる領域に収容部４０６を挿通可能な挿通孔４３１が形成されている。従って、第１契機対応ユニット３３（入球口３３ａ）に入球する遊技球は、規制突起４０３に対して必ず上方から近付くこととなる。本実施形態では、命釘４４１、４４２（命釘４４１、４４２及び入球口３３ａの上端部）により、規制突起４０３前方の遊技領域における遊技球の移動方向が略鉛直方向に限定されることから、命釘４４１、４４２（命釘４４１、４４２及び入球口３３ａの上端部）が進路限定手段を構成する。
【００５７】
また、図９に示すように、基部４０５には、命釘４４１、４４２の配設位置に対応して釘孔４２４が形成されており、釘孔４２４を命釘４４１、４４２に挿通させるとともに、遊技盤３０に形成された挿通孔４３１に収容部４０６を挿通させ、基部４０５を遊技盤３０の前面に当接させた状態で、ねじ４３３により通過規制役物４０１を遊技盤３０に固定する。尚、本実施形態の第１契機対応ユニット３３は、上下に並ぶ２つの入球口３３ａ，３３ｂを備えているが、通過規制役物４０１は、第２契機対応口３４の通過を契機とする抽選で当選した場合に一対の羽根部材４４３が開いて入球可能となる下側の入球口３３ｂではなく、常時入球可能な上側の入球口３３ａに対応して設けられている（図８参照）。
【００５８】
図１０等に示すように、規制突起４０３は、略長板状の突起本体４５１と、突起本体４５１の両側面から突出する一対のガイド突起４５２とを備え、軟磁性体により一体的に形成されている。一対のガイド突起４５２は、左右側壁部４１２、４１３に形成されたガイド孔４１６にそれぞれ挿通されている。これにより、規制突起４０３はガイド孔４１６に沿ってスライド可能となっている。尚、収容部４０６の内側に形成される中空部の上下幅は、規制突起４０３の上下幅とほぼ同じであり、規制突起４０３と上壁部４１１及び下壁部４１４との間にはほとんど隙間がない。
【００５９】
さて、図９（ｂ）、図１０（ａ）等に示すように、規制突起４０３には、前端部上側がＬ字状に切り欠かれるようにして段差部４６１が形成されている。段差部４６１は、規制突起４０３の上辺部の前端部から下方に向けて略鉛直方向に沿って延びる縦辺部４６２（縦面部）と、縦辺部４６２の下端部から前方に向けて略水平方向に沿って延びる横辺部４６３（横面部）とから構成されている。以下、規制突起４０３の上辺部と縦辺部４６２の上端部との境界部を第１角状部４６５と称し、横辺部４６３の前端部と規制突起４０３の前辺部との境界部を第２角状部４６６と称する。本実施形態では、第１角状部４６５が引導部に相当し、第２角状部４６６が支持部に相当する。
【００６０】
縦辺部４６２及び横辺部４６３は、それぞれ遊技球の半径と同じ長さとなっている。さらに、規制突起４０３が最も前方に突出した状態（図１０（ｂ）参照）においては、第１角状部４６５とガラスユニット１３７との距離が、遊技球の直径以下、かつ、遊技球の半径よりも長くなっている。つまり、規制突起４０３は、第２角状部４６６とガラスユニット１３７との距離が遊技球の半径以下となるまで、第２角状部４６６とガラスユニット１３７とが接触しない程度に前方へと突出可能に構成されている。
【００６１】
ちなみに、透明部材としてのガラスユニット１３７は、窓部１０１の形状にほぼ対応して略円形状をなし、遊技盤３０の前面と略平行して延びる前後一対の板ガラス１３７ａ、１３７ｂと、板ガラス１３７ａ、１３７ｂの周縁を囲むようにして設けられた保持フレーム１３７ｃとを備えている（図１０（ａ）参照）。板ガラス１３７ａ、１３７ｂは、保持フレーム１３７ｃによって、板ガラス１３７ａ、１３７ｂ間に所定の間隙が形成された状態で保持されている。保持フレーム１３７ｃは、複数箇所において外方に突出する取付部（図示略）を備え、当該取付部が前面枠セット１４の背面側に設けられた被取付部（図示略）に取着されることで、ガラスユニット１３７が前面枠セット１４に取付けられている。従って、規制突起４０３が最も前方に突出した状態においては、第１角状部４６５と板ガラス１３７ｂとの距離が遊技球の直径以下となり、第２角状部４６６と板ガラス１３７ｂとの距離が遊技球の半径以下となる。また、縦辺部４６２は板ガラス１３７ｂの背面と平行して延び、横辺部４６３は板ガラス１３７ｂ背面に直交する方向に沿って延びている。
【００６２】
尚、上記のように、下壁部４１４を収容部４０６の前側のみに形成し、収容部４０６のうち下壁部４１４よりも後方の部位を下方に開口させることによって、収容部４０６の後下部において左右側壁部４１２、４１３を互いに離間させるようにして若干押し広げつつ、規制突起４０３を収容部４０６に挿通して（ガイド突起４５２をガイド孔４１６に挿通して）組付けることができる。このため、例えば、左右側壁部４１２、４１３が別パーツとして構成され、規制突起４０３を挟み込むようにして両側壁部４１２、４１３を取付固定するといった構成に比べ、作業性の向上、コストの削減等が図られる。
【００６３】
さらに、図１０、図１１に示すように、左右側壁部４１２、４１３の内面には、ストッパー部４１７よりも若干前方において上下方向に延びる段差部４１８が形成されており、段差部４１８よりも前側の部位が後側の部位よりも収容部４０６の内側に向けて１段高くなっている。このため、収容部４０６のうち段差部４１８よりも前側の部位においては、両側壁部４１２、４１３間の距離、すなわち、収容部４０６の内側に形成される空間の横幅が狭く、収容部４０６に挿通される規制突起４０３と両側壁部４１２、４１３との間に形成される隙間も小さくなっている。従って、ガイド孔４１６からガイド突起４５２が脱落してしまうといったおそれを防止できる上、規制突起４０３の左右方向への傾動（がたつき）を規制することができる。
【００６４】
その一方で、収容部４０６のうち段差部４１８よりも後側の部位においては、両側壁部４１２、４１３間の距離、すなわち、収容部４０６の内側に形成される空間の横幅が広くなっている。例えば、左右側壁部４１２、４１３間の距離が小さい場合には、規制突起４０３を役物本体４０２に組付ける際に、左右側壁部４１２、４１３を比較的大きく押し広げる（変形させる）必要が生じてしまい、これに起因する不具合（作業性の低下、収容部４０６の破損等）を招くおそれがある。この点、本実施形態では、収容部４０６のうち段差部４１８よりも後側の部位においては、両側壁部４１２、４１３間の距離が大きくなっていることから、組付けに際して両側壁部４１２、４１３を押し広げる量を小さくすることができる。しかも、当該部位の各側壁部４１２、４１３は薄肉であることから、比較的容易に押し広げることができる。従って、組付作業性の向上等を図ることができる。
【００６５】
また、左右側壁部４１２、４１３の内面には、ガイド孔４１６の後縁部から後方に向けて延びる案内溝４１９が形成されている。そして、規制突起４０３の役物本体４０２への組付けに際しては、ガイド突起４５２を案内溝４１９の内側に沿わせて規制突起４０３を前方へと押し込むだけで、ガイド突起４５２が案内溝４１９に案内されてスムースにガイド孔４１６へと挿通される。さらに、案内溝４１９の形成部位においては、左右側壁部４１２、４１３間の距離がより広くなっているため、左右側壁部４１２、４１３の押し広げ量をより小さくすることができる。結果として、案内溝４１９の存在により、組付け作業性を一層向上させることができる。
【００６６】
次に、規制突起４０３の動作について図面を参照しつつ説明する。図９（ａ）は規制突起４０３が遊技領域に突出していないときの通過規制役物４０１を示し、図９（ｂ）は規制突起４０３が遊技領域に突出したときの通過規制役物４０１を示す斜視図である。図１０（ａ）は規制突起４０３が遊技領域に突出していないときの通過規制役物４０１を示し、図１０（ｂ）は規制突起４０３が、直上方に位置する磁化された遊技球に引き付けられて遊技領域に突出したときの通過規制役物４０１を示し、図１０（ｃ）は規制突起４０３の第２角状部４６６と磁化された遊技球とが当接したときの通過規制役物４０１を示す模式断面図である。
【００６７】
遊技が行われる通常の状態においては、図９（ａ）、図１０（ａ）に示すように、ガイド突起４５２がガイド孔４１６の後縁部に当接しており、規制突起４０３によって遊技球の流下が阻害されないように、規制突起４０３の前端部が基部４０５の前面よりも後方に位置している。本実施形態では、基部４０５前方の遊技領域に突出していない規制突起４０３の状態が第２の状態に相当する。
【００６８】
さて、遊技球は鉄製であるため、図１０（ｂ）に示すように、ガラスユニット１３７（前側の板ガラス１３７ａ）の前面に強力な磁力を有する磁石Ｍがあてがわれる（近付けられる）と、遊技領域を流下する遊技球がガラスユニット１３７越しに磁石Ｍに引き付けられて、後側の板ガラス１３７ｂの背面に当接状態とされる。このように磁石Ｍに引き付けられた遊技球は、板ガラス１３７ａに沿って動かされる磁石Ｍに誘導されて、板ガラス１３７ｂの背面に摺接しながら遊技領域を移動することとなる。
【００６９】
また、遊技球を第１契機対応ユニット３３（入球口３３ａ）へと入球させるためには、一対の命釘４４１、４４２間において遊技球を下方に移動させなければいけない。従って、第１契機対応ユニット３３（入球口３３ａ）への不正入球を企む不正行為者は、まず、磁石Ｍを動かして、遊技球を一対の命釘４４１、４４２の上方へと誘導することとなる。
【００７０】
ところで、磁石Ｍに引き付けられている遊技球は磁化されているため、当該磁化された遊技球が一対の命釘４４１、４４２間の領域（通過規制手段４０１）に近付くと、軟磁性体である規制突起４０３がかかる遊技球に引き付けられ、図９（ｂ）に示すように、基部４０５の前方に突出する。より詳しくは、図９（ａ）、図１０（ａ）の状態（第２の状態）にある規制突起４０３は、磁化された遊技球が規制突起４０３の前方に位置するまでその状態を保っているわけではなく、磁化された遊技球が規制突起４０３の上方に接近してくる段階で前方に突出し始める。
【００７１】
上記のように、本実施形態では、第１角状部４６５とガラスユニット１３７との距離が遊技球の直径以下となるまで、規制突起４０３が略水平方向に沿って前方に突出可能である上、縦辺部４６２及び横辺部４６３の長さがそれぞれ遊技球の半径と同じ長さに構成され、第２角状部４６６が第１角状部４６５よりも下方に位置している。このため、第２角状部４６６は前記磁化された遊技球に対してある程度まで近付くと、第１角状部４６５程には遊技球に近付くことができなくなり、それ以降は、第１角状部４６５が遊技球に近付くようにして規制突起４０３が変位（突出）することとなる。従って、磁化された遊技球に引き付けられて前方に突出する規制突起４０３は、図１０（ｂ）の実線で示すように、磁化された遊技球が規制突起４０３の直上方に位置する頃には、第１角状部４６５が当該遊技球に対して最も近接し得る部位となり、当該遊技球に対して第１角状部４６５が可能な限り近接した状態となるまで（ガイド突起４５２がガイド孔４１６の前縁部に当接するまで）前方に突出する。
【００７２】
尚、上記の通り規制突起４０３は軟磁性体により構成されるため、磁石が前方に近付けば、当該磁石に引き付けられて遊技領域に突出する。つまり、磁石Ｍの磁性の強さにもよるが、規制突起４０３は、磁石Ｍ（例えば永久磁石）に引き付けられた遊技球（当該遊技球は一時磁石となっている）が近付けられなくても、磁石Ｍが近付けられれば当該磁石Ｍに引き付けられて遊技領域に突出することとなる。また、本実施形態では、便宜上、規制突起４０３が磁石Ｍに引き付けられて磁化された遊技球に引き付けられると記載しているが、場合によっては、規制突起４０３が磁石Ｍ及び当該磁石Ｍに引き付けられて磁化された遊技球の両方に引き付けられる。
【００７３】
磁化された遊技球が、図１０（ｂ）の実線で示す位置からさらに下方の図１０（ｂ）の二点鎖線で示す位置へと移動すると、第１角状部４６５とガラスユニット１３７（板ガラス１３７ｂ）との距離が遊技球の直径以下となっているため、磁化された遊技球と第１角状部４６５とが当接する。この時点で、遊技球の下方への移動が一応規制される。しかしながら、遊技球の第１角状部４６５との当接部位は、遊技球の下面（遊技球の表面のうち遊技球を鉛直方向において上下２つの半球に分ける中心線よりも下側の部位）ではあるものの、前後方向において遊技球の中心よりも後側（遊技盤３０側）の部位となっている。このため、磁化された遊技球を第１角状部４６５に押付けると、第１角状部４６５には下方へと向かう力だけでなく、後方へと向かう力が作用する。従って、場合によっては、規制突起４０３が後方へと変位させられてしまい、磁化された遊技球が第１角状部４６５及びガラスユニット１３７（板ガラス１３７ｂ）に摺接しつつ下方へと移動してしまうおそれがある。
【００７４】
これに対し、本実施形態の規制突起４０３は、縦辺部４６２の下端部から前方に延びる横辺部４６３を備えている。このため、図１０（ｃ）に示すように、縦辺部４６２とガラスユニット１３７との間の距離を押し広げるようにして下方に移動する磁化された遊技球は、横辺部４６３に当接して支持されることとなる。
【００７５】
特に、縦辺部４６２が板ガラス１３７ｂと平行して上下方向に延び、横辺部４６３が板ガラス１３７ｂの背面と直交する方向に延び、横辺部４６３の長さが遊技球の半径と同じ長さであり、規制突起４０３が、第２角状部４６６とガラスユニット１３７との距離が遊技球の半径以下となるまで前方に突出可能であることから、第２角状部４６６が遊技球の最下点と当接することとなる。
【００７６】
尚、本実施形態では、第２角状部４６６とガラスユニット１３７との距離が遊技球の半径以下であるときの規制突起４０３の状態が第１の状態に相当する。加えて、遊技領域に突出した状態（第１の状態）にある規制突起４０３を後方に引っ込めて遊技領域に突出しない状態（第２の状態）とするためには、前面枠セット１４を開放してから、後方に押し込む必要がある。
【００７７】
以上詳述したように、本実施形態では、第１契機対応ユニット３３（入球口３３ａ）の直上方において、遊技領域に出没可能な規制突起４０３を有する通過規制役物４０１が設けられている。規制突起４０３は軟磁性体により構成されているため、第１契機対応ユニット３３（入球口３３ａ）の上方に磁石Ｍによって磁化された遊技球が近付くと、規制突起４０３がかかる遊技球に引き付けられて遊技領域へと突出する。本実施形態では、規制突起４０３は、ガラスユニット１３７との間の距離が遊技球の直径以下となるまで遊技領域に突出することから、規制突起４０３の前方における遊技球の通過、すなわち、第１契機対応ユニット３３への入球が規制される。結果として、磁石を用いて遊技球を第１契機対応ユニット３３へと誘導し、入球させてしまうといった不正行為を防止することができる。
【００７８】
さらに、第１契機対応ユニット３３への不正入球を未然に防止することができるため、不正入球に起因して遊技ホールに所定の不利益（賞球、場合によっては大当たり状態の発生）が生じてしまうといった事態を回避することができる。結果として、不正入球に基づくパチンコ機１０の動作（賞球、大当たり状態等）を無効にする等といった措置を取らなくて済むため、上記不正行為発生後の対処を比較的スムースに行うことができる。尚、不正入球に基づくパチンコ機１０の動作（賞球、大当たり状態等）を無効にしたり、遊技の続行を断ったりする場合、不正行為があったとして主張する遊技ホール関係者と、不正行為を行っていないとして主張する遊技者（不正行為者）との間にトラブルが発生してしまうおそれがある。さらに、いざ上記不正行為を立証するとなれば、警察への通報を行った上で、遊技ホールに設置されたビデオカメラの記録を確認したり、不正行為者の身体検査等を行って磁石を発見したりする必要がある。従って、かかる不正行為の確認に伴って多大な労力を要してしまい、その他の業務に支障をきたしてしまうおそれがある。この点、上記のように、第１契機対応ユニット３３への不正入球を未然に防止することにより、上記不具合を回避することができるのである。
【００７９】
また、本実施形態によれば、規制突起４０３は、前端部上側に段差部４６１が形成されることで、板ガラス１３７ｂの背面に摺接しつつ当該規制突起４０３の上方に近接した磁化された遊技球に引き付けられて前方に突出したときに、磁化された遊技球に対して最も近接する部位である第１角状部４６５と、第１角状部４６５よりも前方に位置する第２角状部４６６とを備えている。これにより、規制突起４０３の直上方に位置する磁化された遊技球に対して第１角状部４６５が可能な限り近接するまで規制突起４０３が前方に突出したときには、横辺部４６３（第２角状部４６６）において磁化された遊技球の下面を受けて支持できる状態となっている。従って、磁化された遊技球の下面のうち遊技盤３０側の部位と第１角状部４６５とが当接した状態から、磁化された遊技球を第１角状部４６５に押付けることで規制突起４０３を後方に変位させ、第１角状部４６５及び板ガラス１３７ｂに摺接させつつ下方に移動させたとしても、当該遊技球を横辺部４６３において確実に受け止めることができる。
【００８０】
さらに、本実施形態では、挿通孔４３１を命釘４４１、４４２の間に形成することで、磁石Ｍに誘導される遊技球が規制突起４０３に近付く方向を上方に絞っている。このため、磁化された遊技球の近付く方向によっては、第１角状部４６５が磁化された遊技球に最も近接し得る部位とならず、これに起因して、上記作用効果が奏されなくなってしまうといった事態を回避することができる。
【００８１】
その上、磁石Ｍにより、第１契機対応ユニット３３（入球口３３ａ）に向けて、一対の命釘４４１、４４２間を下方へと誘導される磁化された遊技球の最下点に対し、第２角状部４６６が当接することとなるため、磁化された遊技球によって当該遊技球を支持する第２角状部４６６を下方に押圧したとしても、第２角状部４６６には後方へと向かう力が作用することがない。従って、規制特記４０３が前方に突出したにもかかわらず、遊技球に押圧されることで後方へと変位させられ、磁化された遊技球の第１契機対応ユニット３３への入球を許容してしまうといった事態を防止することができる。結果として、磁石を用いて遊技球を第１契機対応ユニット３３へと誘導し、入球させてしまうといった不正行為をより確実に防止することができる。加えて、遊技領域に突出した規制突起４０３を視認することで、磁石を用いて遊技球を誘導するといった不正が行われたことを把握することができる。
【００８２】
また、縦辺部４６２が板ガラス１３７ｂの延在方向に沿って延び、横辺部４６３が板ガラス１３７ｂの背面と直交する方向に延びることにより、第２角状部４６６が磁化された遊技球に当接した状態においては、規制突起４０３の第２角状部４６６以外の部位が、磁化された遊技球の下面に当接することがない。このため、第２角状部４６６が磁化された遊技球に当接した状態において、磁化された遊技球を規制突起４０３に上方から押付けることで、規制突起４０３に対して後方へと向かう力が作用してしまうといった事態を回避することができる。結果として、規制突起４０３が後方に変位してしまい、第２角状部４６６が磁化された遊技球の最下点を支持できなくなってしまうといった事態を回避することができる。
【００８３】
尚、第２角状部４６６が遊技球の最下点と当接したときには、第１角状部４６５が遊技球のうち最も遊技盤３０側に位置する部位（遊技球を上下２つの半球に分ける中心線上の部位）と当接するが、もちろん、磁石Ｍを下方に動かすことで磁化された遊技球を規制突起４０３に押付けても、第１角状部４６５には規制突起４０３を後方へと動かすような力は作用しない。
【００８４】
加えて、規制突起４０３が軟磁性体により一体的に形成され、役物本体４０２が樹脂により一体的に形成されていることから、例えば、規制突起４０３や役物本体４０２を複数のパーツから構成する場合に比べ、製造作業性の向上等を図ることができる。また、例えば、規制突起４０３の前端部が非磁性体より構成される場合に比べ、規制突起４０３に接近する磁化された遊技球がより上方に位置している段階で規制突起４０３が突出し始めることができる。このため、磁化された遊技球が規制突起４０３の前方を通過する前に（磁化された遊技球の最下部が第２角状部４６６よりも下方に位置する前に）、より確実に規制突起４０３を第２角状部４６６とガラスユニット１３７との距離が遊技球の半径以下となるまで前方に突出させることができる。
【００８５】
また、本実施形態の構成以外にも、遊技領域に突出していない状態における規制突起４０３の前方へのスライドは許容するが、第２角状部４６６と磁化された遊技球とが当接した状態における規制突起４０３の後方へのスライドは規制するといった構成を実現することは可能である。例えば、磁気センサ、ソレノイド、及びこれらと制御装置（主制御装置２６１等）とを接続する配線等を設け、磁気センサの検出に基づいてソレノイドのプランジャーを突出させて、磁化された遊技球に引き付けられて突出した規制突起４０３の後辺部を支持し、規制突起４０３の後方への移動を規制することも考えられる。しかしながら、この場合、著しい構成の複雑化を招くおそれがある。また、例えば、収容部４０６の内側に出没可能な規制部材と、規制部材に対して収容部４０６の内側に突出する方向に力を加えるばねとを設け、引っ込んだ状態（第２の状態）の規制突起４０３の側面に対して規制部材の突出方向先端部を当接させておき、規制突起４０３が磁化された遊技球に引き付けられて突出すると（第１の状態となると）規制部材が収容部４０６の内側に突出し、規制突起４０３の後辺部を支持するといった構成も考えられる。しかしながら、この場合、規制部材から受ける応力により規制突起４０３の突出が阻害されてしまうおそれがある。
【００８６】
これに対し、本実施形態では、規制突起４０３の前側上端部に段差部４６１を形成するだけで、規制突起４０３の後方へのスライドを防止できるため、別途ソレノイド等の駆動手段、駆動手段を制御装置に接続するための配線を設けたり、駆動手段を駆動させる制御処理等を設定したりする必要がなく、構成の複雑化やコストの増大等を防止することができる。さらに、規制突起４０３の前方へのスライドを阻害するような部材はなく、規制突起４０３をスムースに突出させることができる。また、磁石を用いた不正行為への対策として磁気センサを採用する場合に比べ、コストの削減を図ることができる上、磁気センサと制御装置との間を接続する配線が切断されたり、磁気センサの反応値の設定が上手く行われていなかったりした場合に機能しなくなってしまうといった事態を回避することができる。
【００８７】
加えて、一対の板ガラス１３７ａ、１３７ｂがユニット化されて（ガラスユニット１３７として）前面枠セット１４に取付けられるため、板ガラス１３７ｂのがたつき（前後方向へのずれ）等を防止することができる。これにより、後側の板ガラス１３７ｂと遊技盤３０との距離、すなわち遊技領域の前後幅に製造誤差が生じてしまい、通過規制役物４０１が上手く機能しなくなってしまうといった事態を抑制することができる。
【００８８】
次に、パチンコ機１０の電気的構成について説明する。図７は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００８９】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【００９０】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【００９１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、通常処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００９２】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【００９３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００９４】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００９５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００９６】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００９７】
また、払出制御装置３１１は、払出装置３５８（払出モータ）を駆動制御し、賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９８】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【００９９】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１００】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１０１】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。また、作業エリアには、払出すべき遊技球の球数を記憶する払出個数記憶エリアが設けられている。
【０１０２】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１０３】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１０４】
コマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０１０５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８（払出モータ、払出検出スイッチ）がそれぞれ接続されている。
【０１０６】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１０７】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１０８】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１０９】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１１０】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１１１】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１１２】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１１４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１１６】
なお、上述した実施形態の記載内容に限定されず、例えば次のように実施してもよい。
【０１１７】
（ａ）上記実施形態では、縦辺部４６２及び横辺部４６３がともに遊技球の半径と同じ長さに構成されているが、規制突起４０３によって磁化された遊技球の下面のうち、最下点、又は、最下点よりも前方の部位を支持できるようになっていればよい。つまり、上記実施形態のように、縦辺部４６２が板ガラス１３７ｂの延在方向である略鉛直方向に沿って延び、横辺部４６３が板ガラス１３７ｂの背面と直交する方向である略水平方向に沿って延びる場合には、横辺部４６３の長さが遊技球の半径以上となっていればよい。また、縦辺部４６２は横辺部４６３と長さが異なっていてもよい。但し、上方に近接する磁化された遊技球に対し、第１角状部４６５を第２角状部４６６よりも確実に近接させるためには、縦辺部４６２の長さを横辺部４６３の長さ以上とし、横辺部４６３の長さを遊技球の直径以下とすることが望ましい。また、縦辺部４６２を長くしすぎた場合には、通過規制役物４０１の大型化を招くおそれがあるため、縦辺部４６２の長さは遊技球の直径以下とするのが望ましく、横辺部４６３の長さと同程度とするのがより望ましい。
【０１１８】
さらに、規制突起４０３が最も前方に突出した状態において、第１角状部４６５とガラスユニット１３７との距離が遊技球の直径以上あり、磁化された遊技球が第１角状部４６５に当接しない構成としてもよい。但し、第２角状部４６６とガラスユニット１３７との距離は遊技球の半径以下とする。
【０１１９】
また、上記実施形態では、第１角状部４６５と第２角状部４６６との間の部位が、略鉛直方向に沿って延びる縦辺部４６２及び略水平方向に沿って延びる横辺部４６３により構成されているが、特にこのような構成に限定されるものではない。例えば、図１２に示すように、縦辺部４６２及び横辺部４６３の境界部付近を曲線状に構成したり、図１３に示すように、第１角状部４６５と第２角状部４６６との間の部位を、両角状部４６５、４６６間を湾曲しつつ連結する円弧状の辺部により構成したりしてもよい。このような構成を採用する場合、第１角状部４６５と第２角状部４６６との境界部付近の強度を向上させることができる。但し、磁化された遊技球の最下点が第２角状部４６６に当接した状態において、規制突起４０３の第２角状部４６６以外の部位は、遊技球の下面のうち最下点よりも後側の部位には接触できない構成とするのが望ましい。この場合、第２角状部４６６が遊技球を支持した状態において、磁化された遊技球を規制突起４０３に上方から押付けることで、規制突起４０３に後方への応力が作用してしまうといった事態を回避することができる。
【０１２０】
また、例えば、図１４に示すように、横辺部４６３を前方に向けて上方傾斜させ、磁化された遊技球のうち、最下点よりも前方に位置する下面を支持する構成としてもよい。尚、図１４では、第２角状部４６６よりも若干後方に位置する部位が磁化された遊技球に当接しており、当該当接部位が支持部に相当する。さらに、図１５に示すように、縦辺部４６２を上方に向けて前方傾斜させてもよい。この場合、第１角状部４６５を規制突起４０３の直上方に位置する磁化された遊技球により近接させることができる。但し、第２角状部４６６において磁化された遊技球の下面のうち最下点又は最下点よりも前側の部位を支持できるように、縦辺部４６５の傾斜角度や横辺部４６６の長さ等を考慮する必要がある。また、図１５では、略水平方向における第１角状部４６５と第２角状部４６６との距離が遊技球の半径よりも短い。このため、第１角状部４６５に当接した磁化された遊技球を無知やり下方に素早く移動させることで、第２角状部４６６と板ガラス１３７との距離が遊技球の半径以下となるまで規制突起４０１が前方に突出する前に、第２角状部４６６が磁化された遊技球の下面のうち最下点よりも後方に当接してしまうといった事態を防止するべく、略水平方向における第１角状部４６５と第２角状部４６６との距離を遊技球の半径以上としたり、縦辺部４６２の長さを長くしたりすることが望ましい。加えて、図１６に示すように、横辺部４６３を遊技球の外周形状に沿って円弧状に構成してもよい。図１４や図１６のように、磁化された遊技球の下面のうち最下点よりも前側の部位に横辺部４６３（支持部）が当接する構成の場合、当該当接状態において、さらに、磁化された遊技球の下面のうち最下点よりも後側の部位に規制突起４０３が当接し、規制突起４０３に対して後方へと向かう力が作用する場合であっても、かかる後方へと向かう力を打ち消す方向に力が作用するため、規制突起４０３の後方への移動を抑止することができる。
【０１２１】
（ｂ）上記実施形態では、規制突起４０３が前後にスライドするだけであったが、規制突起４０３が遊技領域に突出し、第１角状部４６５とガラスユニット１３７との距離が遊技球の直径以下（第２角状部４６６とガラスユニット１３７との距離が遊技球の半径以下）となった状態において傾動可能に構成してもよい。以下、当該構成を採用した通過規制役物７０１について、変更点を中心に図１７を参照しつつ説明する。尚、図１７の通過規制役物７０１についても、上記実施形態の通過規制役物４０１と同様に、遊技盤３０の前面に当接状態で固定される基部７０５及び基部７０５から後方に延びる筒状の収容部７０６を具備する役物本体７０２と、収容部７０６に挿通される規制突起７０３とを備える。また、規制突起７０３の前側上端部には、上記実施形態の通過規制役物４０１と同様に、縦辺部７６２と横辺部７６３とから構成される段差部７６１が形成されており、段差部７６１の上側の角状部が第１角状部７６５を構成し、段差部７６１の下側の角状部が第２角状部７６６を構成する。
【０１２２】
図１７に示すように、規制突起７０３の両側面にそれぞれ形成されたガイド突起７５２を、それぞれ同径の円柱状とした上で、両者の軸心が同一線上に延びるように配置する。これにより、規制突起７０３がガイド突起７５２を軸心に回動可能となる。
【０１２３】
また、収容部７０６の両側壁部７１２に形成されたガイド孔７１６は、前方に向けて上方傾斜する（例えば基部７０５の背面と直交する方向に対して１０度程度）長孔として構成されている。これにより、前端部が基部７０５の前面よりも後方に位置する状態（第２の状態）にある規制突起７０３に対し、磁化された遊技球が上方に近接すると、規制突起７０３は前方に向けて斜め上方にスライドすることとなる。
【０１２４】
加えて、ガイド突起７５２は、規制突起７０３の長手方向中間位置よりも後側に形成されており、規制突起７０３の重心は、ガイド突起７５２よりも前側に位置している。従って、一対のガイド突起７５２を軸支すると、規制突起７０３は前端部が下方に向かうようにして傾動することとなる。さらに、規制突起７０３は、後端部から前端部に向けて、長手方向中間位置よりも若干前側の部位までは上辺部と下辺部とが略平行して延びているが、かかる部位よりも前方の部位においては、下辺部が上辺部から離間するようにして下方傾斜しており、上下幅が大きくなっている。また、前端部が基部７０５の前面よりも後方に位置する状態（第２の状態）にある規制突起７０３は、下辺部の前側が収容部７０６の下壁部７１４の上面に当接しており、前方に向けて上方傾斜した姿勢をとっている。尚、規制突起７０３が図１７の時計回りに回転しようとしても、第１角状部７６５が収容部７０６の上壁部７１１に当接し、かかる回動が規制される。また、上壁部７１１の前端部や開口部７２１の上縁部は、規制突起７０３の突出を阻害しないように面取り加工されている。また、収容部７０６の上壁部７１１には、下方に突出するストッパー部７１７が設けられている。
【０１２５】
尚、図１２（ｂ）、図１３（ｂ）の状態（遊技領域に突出した規制突起４０３が前方に向けて上方傾斜している状態）から磁石Ｍを遠ざけて規制突起４０３を自由にした場合であっても、規制突起４０３は、重心がガイド突起４５２よりも前側に位置しているため、自重により自然と前端部が下方に向かうようにして傾動する。尚、磁石Ｍ（当該磁石Ｍに引き付けられた遊技球）をいかなる方向に動かしたとしても、規制突起４０３を後側に変位させることは不可能であり、磁石Ｍを規制突起４０３から遠ざける方向によらず、規制突起４０３は自重により前側に傾動することとなる。遊技領域に突出した状態（第１の状態）にある規制突起４０３を後方に引っ込めて遊技領域に突出しない状態（第２の状態）とするためには、前面枠セット１４を開放し、前方に向けて下方傾斜した姿勢（第１の位置）にある規制突起４０３を前方に向けて上方傾斜する姿勢（第２の位置）としてから、後方に押し込む必要がある。
【０１２６】
さて、図１７（ｂ）に示すように、前側の板ガラス１３７ａにあてがわれた磁石Ｍに引き付けられて磁化された遊技球が、板ガラス１３７ｂの背面に摺接しつつ規制突起７０３の上方に近付くと、規制突起７０３がかかる遊技球に引き付けられ、収容部７０６に対応して基部７０５に形成された開口部７２１の上縁部に摺接しつつ、前斜め上方にスライドする。ガイド突起７５２がガイド孔７１６の前縁部に当接するまで規制突起７０３が基部７０５の前方に突出すると、規制突起７０３の第１角状部７６５とガラスユニット１３７（板ガラス１３７ｂ）との距離が遊技球の直径以下となり、第２角状部７６６とガラスユニット１３７との距離が遊技球の半径以下となる。このように、第２角状部７６６とガラスユニット１３７との距離が遊技球の半径以下となった規制突起７０３の状態が第１の状態に相当する。
【０１２７】
また、規制突起７０３の上方に位置する磁化された遊技球に引き付けられて突出したときの規制突起７０３は、前方に向けて上方傾斜した姿勢（第１の姿勢）をとる。尚、この状態においては、ガイド突起７５２が下壁部７１４の上方に位置し、かつ、規制突起７０３と下壁部７１４とが離間し、かつ、後端部がストッパー部７１７よりも若干前方に位置しているため、規制突起７０３は、前端部が下方に向かう方向に回動可能となっている。
【０１２８】
図１７（ｂ）の状態から磁石Ｍを下方に動かすと、磁石Ｍに誘導される遊技球によって規制突起７０３の前端部が下方に押され、規制突起７０３はガイド突起７５２を軸心にして前端部が下方に傾動する。そして、図１７（ｃ）に示すように、規制突起７０３は、下辺部が開口部７２１の下縁部に当接して支持されるとともに、上辺部の後端部がストッパー部７１７近傍の上壁部７１１に当接して支持され、前方に若干下方傾斜した姿勢となって静止する。
【０１２９】
この状態においては、縦辺部７６２が略鉛直方向に沿って延び、横辺部７６３が略水平方向に沿って延びている。また、第２角状部７６６とガラスユニット１３７との距離が遊技球の半径以下となる上、横辺部７６３は遊技球の半径と同じ長さであることから、第２角状部７６６が磁化された遊技球の最下点に当接する。
【０１３０】
さらに、上記のように前方に突出した規制突起７０３が前方に向けて下方傾斜した姿勢となると、規制突起７０３の後辺部とストッパー部７１７の前面とが対向し、かつ、略当接した状態となる。このように、規制突起７０３の後辺部とストッパー部７１７とが前後に重なると、規制突起７０３を後方に押したとしても、規制突起７０３の後辺部がストッパー部７１７の前面に当接して支持され、規制突起７０３の後方への移動が規制される。尚、規制突起７０３の後辺部とストッパー部７１７の前面とが当接した状態においても、規制突起７０３とガラスユニット１３７との距離は遊技球の直径以下となっている。
【０１３１】
以上のような構成を採用した場合にも、上記実施形態と同様の作用効果が奏される。また、遊技領域に突出していない状態の規制突起７０３は、ガイド孔７１６と下壁部７１４とに支持されて、前方に向けて上方傾斜した姿勢とされる。さらに、ガイド孔７１６が前方に向けて上方傾斜している。これらの構成により、規制突起７０３は、斜め上方にスライドしなければ前方に突出することができない。従って、遊技球を磁石Ｍに引き付けて誘導するといった不正行為が発生していないのにもかかわらず、パチンコ機１０の振動等に起因して規制突起４０３が遊技領域に突出してしまうといった事態を防止することができる。このため、規制突起７０３により遊技球の流下が阻害され、善意の遊技者に不利益が生じてしまうといった事態を回避することができる。
【０１３２】
さらに、磁化された遊技球に引き付けられて遊技領域に突出した規制突起７０３は、磁化された遊技球に上方から押圧されると、前端部が下方に向けて傾動する。従って、例えば、規制突起７０３が同じ姿勢を保持したまま前後にスライドするだけの構成の場合、前方に向けて上方傾斜する規制突起７０３の前端部を下方に押圧することで、規制突起７０３に対して後方へと向かう力が作用してしまい、規制突起７０３が後方に変位してしまうおそれがあるが、かかるおそれを防止することができる。
【０１３３】
加えて、規制突起７０３の重心は、ガイド突起７５２よりも前側に位置しているため、磁化された遊技球に引き付けられて遊技領域に突出した規制突起７０３は、磁石Ｍが遠ざけられて自由になったとしても、前方に向けて下方傾斜した姿勢をとる。つまり、磁化された遊技球に引き付けられて遊技領域に突出した規制突起７０３は、外力を加えなければ後方に引っ込むことはない。従って、規制突起７０３を視認することで、磁石を使用した不正行為の有無を確実に把握することができる。
【０１３４】
また、規制突起７０３を斜め上方に向けて突出可能とすることで、上方から近付く磁化された遊技球に対し、規制突起７０３を比較的スムースに突出させることができる。さらに、規制突起７０３の突出方向が斜め上方であることにより、例えば規制突起７０３が水平方向に突出する場合に比べ、上方から近付く遊技球に対してより早い段階で（より上方に位置している段階で）、遊技領域に突出し始めることができる。このため、磁石に誘導されて命釘４４１、４４２間を移動する遊技球が規制突起７０３の前方を通過する前に、規制突起７０３をガラスユニット１３７との距離が遊技球の直径以下（第１の状態）となるまでより確実に突出させることができる。
【０１３５】
尚、上記実施形態のように、規制突起４０３が前後にスライドするだけの構成の場合であっても、「前端部が基部４０５の前面よりも後方に位置する状態にある規制突起４０３の姿勢を前方に向けて上方傾斜した姿勢にするとともに、前方に突出する際には、前方に向けて斜め上方にスライドする」といった構成を採用してもよい。つまり、前方に上方傾斜する規制突起４０３の傾きがそれ程大きくなければ、規制突起４０３の前端部（第１角状部４６５や第２角状部４６６）を下方に押したとしても、基本的に規制突起４０３を、ガイド突起４５２を軸心に回動させるような力となるだけであり、規制突起４０３と収容部４０６との間に働く摩擦力や、磁化された遊技球に引き付けられる力等により、規制突起４０３の後方への移動が規制される。また、第１角状部４６５が第２角状部４６６よりも磁化された遊技球に対してより確実に近接位置をとり得るように構成するといった観点からしても、傾きは小さい方が望ましい。
【０１３６】
また、ストッパー部７１７の存在により、磁化された遊技球を上方から規制突起７０３に押付けることで当該規制突起７０３が後方に変位してしまうといった事態をより確実に防止することができる。尚、規制突起７０３の先端部に形成された段差部７６１によって、規制突起７０３の後方への変位を規制することができることから、ストッパー部７１７を省略することも可能である。
【０１３７】
（ｃ）上記実施形態では、通過規制役物４０１が第１契機対応ユニット３３（入球口３３ａ）に対応して設けられているが、通過規制役物４０１の設置位置は特に限定されるものではなく、例えば、その他の入球手段（一般入賞口３１、第２契機対応口３４、可変入賞装置３２等の入球手段）に対応して設けたり、センターフレーム４７の入球口１５１に対応して設けたりしてもよい。もちろん、規制突起４０３が対応する入球手段の近傍に出没する構成でなくても、発射装置７０によって発射された遊技球が入球手段へと至る流下経路上に規制突起４０３を配置することで、入球手段への不正入球を防止することも可能である。また、例えば、内外レール構成部５１，５２の並行部分（案内通路）の終端部付近（戻り球防止部材５３近傍）に規制突起４０３を出没させる場合、案内通路において磁石に引き付けられた遊技球が、内レール構成部５１内側の遊技領域へと流入してしまうといった事態を防止することができる。
【０１３８】
また、上記実施形態では、規制突起４０３の前端部を収容部４０６の内側に収容可能に構成されているが、規制突起４０３を引っ込めた状態において、遊技球の第１契機対応ユニット３３（入球口３３ａ）への入球が許容される構成となっていればよく、例えば、規制突起４０３を引っ込めて最大限後方に変位させたとしても（規制突起４０３が第２の状態にあっても）規制突起４０３の前端部が遊技領域に突出するといった構成を採用してもよい。加えて、基部４０５を遊技盤３０の前面から前方に突出しないように（遊技盤３０に没入するように）、遊技盤３０の前面に対して基部４０５の形状に対応する凹部を形成してもよい。
【０１３９】
尚、上記実施形態では、挿通孔４３１が一対の命釘４４１、４４２と入球口３３ａとで囲まれる領域に形成されているため、命釘４４１、４４２（命釘４４１、４４２及び入球口３３ａの上端部）によって進路限定手段が構成されている。このように、遊技盤３０前面に設けられた釘や役物を利用して進路限定手段を構成してもよいし、例えば、規制突起４０３の側方において基部４０５から前方に突出する壁部によって進路限定手段を構成してもよい。また、進路限定手段はなくてもよく、規制突起４０３に対して多方向から遊技球が近付き得る構成を採用してもよい。
【０１４０】
（ｄ）役物本体４０２及び規制突起４０３の形状や大きさ等は特に限定されるものではなく、磁石（磁石によって磁化された遊技球）が近付くことで、規制突起４０３が遊技領域に突出し、遊技球の移動を規制できる構成となっていればよい。
【０１４１】
例えば、上記実施形態では、役物本体４０２は樹脂により一体的に構成されているが、収容部４０６の左右側壁部４１２、４１３を別パーツとして構成しておき、後で規制突起４０３を挟むようにして両者を固定（ねじ固定、係止機構、接着剤、熱溶着等）してもよい。
【０１４２】
また、通過規制役物４０１と第１契機対応ユニット３３（第１契機対応口３３のうち遊技盤３０の前面に当接固定される基部）とを一体的に形成してもよいし、通過規制役物４０１を第１契機対応ユニット３３に取付固定してもよい。この場合、製造誤差（取付け位置のずれ）により、通過規制役物４０１と第１契機対応ユニット３３との位置関係にずれが生じてしまうといったおそれを防止することができる。
【０１４３】
さらに、上記実施形態では、通過規制役物４０１は収容部４０５の前端部に設けられた基部４０５が遊技盤３０の前面に当接してねじ固定されているが、例えば、収容部４０６の前端部から遊技盤３０の厚み程度後方に離れた部位から収容部４０６の外周方向に延びるようにして基部を設け、遊技盤３０の背面側から収容部４０６の前側を挿通孔４３１に挿通し、基部の前面を遊技盤３０の背面に当接させた状態でねじ固定してもよい。尚、遊技盤３０の前面や背面に当接する基部（４０５）を省略し、遊技盤３０に形成した挿通孔に収容部を嵌合させるだけで通過規制役物４０１を遊技盤３０に取付けることも考えられるが、この場合、前後方向における通過規制役物４０１の位置決めができず、規制突起４０３の突出長にばらつきが生じるおそれがある。このため、遊技盤３０の前面や背面に当接する基部（４０５）を設けることが望ましい。
【０１４４】
また、規制突起４０３は全体が軟磁性体によって構成される必要はなく、規制突起４０３は、少なくとも一部が磁性体により構成され、磁石（磁石によって磁化された遊技球）が近付くことで、磁石に引き付けられて遊技領域に突出可能になっていればよい。尚、規制突起４０３の少なくとも一部を硬磁性体で構成することとしてもよい。但し、磁石を用いた不正行為が行われていないのにもかかわらず、遊技球が規制突起４０３に引き寄せられたり、規制突起４０３が遊技球につられて前方に突出したりすることがないように、極力磁性の弱い硬磁性体を採用したり、規制突起４０３全体を硬磁性体で構成するのではなく一部にとどめたり、硬磁性体をその他の素材（樹脂等）で覆ったりすることが望ましい。また、例えば、規制突起４０３を硬磁性体とその他の素材とで構成する場合には、硬磁性体の占める割合を小さくすることとしてもよい。また、役物本体４０２の素材についても特に限定されるものではなく、例えば磁性の弱い金属により構成してもよい。
【０１４５】
加えて、規制突起４０３の突出方向についても特に限定されるものではなく、例えば、遊技盤３０の前面と直交する方向に突出してもよいし、遊技盤３０の前面と直交する方向に対して左右に傾いていてもよいし、遊技盤３０の前面と平行して（左右方向に）突出してもよい。例えば、例えば、内外レール構成部５１，５２の並行部分（案内通路）の終端部付近（戻り球防止部材５３近傍）において規制突起４０３を外レール構成部５２から案内通路に突出させる場合には、第２角状部４６６が第１角状部４６５よりも案内通路先端側（戻り球防止部材５３側）に位置し、磁化された遊技球に引き付けられて突出した（第１の状態にある）規制突起４０３の第２角状部４６６と内レール構成部５１との距離が遊技球の半径以下となるように設定する。もちろん、磁化された遊技球の進行方向前側の面のうち、進行方向最先端部、又は当該最先端部よりも外レール構成部５２側の部位に対し、第２角状部４６６を当接可能に構成する。但し、磁石を用いて遊技球を入球手段に誘導して入球させるといった不正行為の際には、ガラスユニット１３７の前面に磁石をあてがうことが予想されるため、規制突起４０３の突出をスムースなものとするべく、規制突起４０３は前方に突出する構成であることが望ましい。
【０１４６】
また、上記実施形態では、遊技が行われる通常時においては、規制突起４０３が基部４０５の前面よりも後側に位置しているが、通常時において第１契機対応ユニット３３への入球が許容されるのであれば規制突起４０３が遊技領域に突出していてもよい。例えば、規制突起を左右にスライド可能に構成し、通常時（第２の状態）は図８左側の命釘４４１と上下に並ぶように配置されているが、命釘４４１、４４２間に磁石が近付くと、規制突起が図８の右側にスライドして命釘４４１、４４２間に位置する（第１の状態）といった構成を採用してもよい。この場合、規制突起の右方上側に段差部が形成することで、上辺部の右端部に第１角状部を形成するとともに、第１角状部よりも右方に第２角状部を形成し、突出状態においては第２角状部と図８の右側の命釘４４２との距離が遊技球の直径以下となるように構成することが望ましい。
【０１４７】
さらに、上記実施形態では、収容部４０６（左右側壁部４１２、４１３）にガイド孔４１６が形成され、規制突起４０３（突起本体４５１）にガイド突起４５２が形成されているが、収容部４０６にガイド突起を形成するとともに、規制突起４０３にガイド孔（長孔）を形成することとしてもよい。当該構成を採用する場合においても、規制突起４０３が磁化された遊技球に引き付けられて遊技領域に突出した状態（収容部４０６に形成されたガイド突起が規制突起４０３に形成されたガイド孔の後端縁に当接した状態）において、規制突起４０３の重心位置が、ガイド突起よりも前方に位置するようにしておくことで、磁石Ｍが遠ざかり、遊技領域に突出した規制突起４０３が自由になった場合に、自然と前端部が下方に向けて傾動する構成とすることができる。
【０１４８】
（ｅ）上記実施形態において、規制突起４０３が遊技領域に突出したこと（第２の状態から第１の状態へと変位したこと）を検知可能な検知手段を設け、前記検知手段の検知に基づいて、遊技を中断させたり、ランプや音声による報知を行ったり、ホールコンピュータへの通報を行ったりしてもよい。例えば、収容部４０６に対して発光部と受光部とを備えるフォトセンサを設け、規制突起４０３が収容部４０６に収容された状態（突出していない状態）においては、規制突起４０３によって発光部から受光部に至る光が遮られ、規制突起４０３が遊技領域に突出すると、発光部からの光が一対のガイド孔４１６を介して受光部で検知されるよう構成し、受光部が発光部からの光を検知した場合に、当該検知信号が主制御装置２６１に出力されるとともに、主制御装置２６１が前記検知信号に対応する信号を、外部中継端子板２４０を通じて、遊技ホール側の管理制御装置に送信するといった構成を採用してもよい。当該構成を採用することで、不正行為への対処をより迅速に行うことができる。
【０１４９】
（ｆ）上記実施形態とは異なるタイプのパチンコ機として実施してもよい。また、パチンコ機以外にも、アレンジボール機、それに類する雀球等の各種遊技機などとして実施してもよい。例えば、遊技盤に始動口及び可変入賞装置ユニットが設けられ、始動口へ遊技球が入球することに基づき可変入賞装置ユニットが一時的に開放状態とされ、この開放状態時において可変入賞装置の内部領域へ入球した遊技球が、当該可変入賞装置の内部領域に設けられた特定入球部に入球すると、特別遊技状態が発生して可変入賞装置ユニットの開閉が繰り返し行われ、多くの遊技球が入球可能となる遊技機においては、作動口、可変入賞装置の内部領域、特別入賞口等への不正入球を防止するべく、作動口、可変入賞装置の内部領域への入球を可能とする入球口、特別入賞口等に対応して規制突起４０３が出没可能に設けられることとしてもよい。
【０１５０】
［付記］
上記実施形態から把握できる技術的思想について、以下に記載する。
【０１５１】
一般にパチンコ機等の遊技機では、遊技盤と遊技盤の前方に設けられたガラスとを備えており、遊技盤とガラスとの間の空間の大部分が、発射装置により発射された遊技球が案内されて流下する遊技領域となっている。そして、遊技領域に設けられた入球手段に遊技球が入球すると、所定数の遊技球が遊技者に払出される構成となっている。また、例えば、入球手段のうち特定の入球手段（作動口）に遊技球が入球すると大当たり状態を発生させるか否か当否抽選が行われ、当否抽選に当選して大当たり状態が発生すると、遊技者は多くの賞球を獲得することが可能となるものもある（例えば、特開２００７−１４６６１号公報参照）。
【０１５２】
ところで、遊技球は鉄製（鋼球）であるため、例えば、遊技領域前方のガラスに強力な磁石が近付けられる（あてがわれる）と、発射装置によって打ち出された遊技球がガラス越しに磁石に引き付けられてしまう。従って、遊技球を引き付けた磁石を動かすことによって、遊技球を入球手段へと誘導して入球させるといった不正行為が行われるおそれがある。
【０１５３】
これに対し、遊技盤の背面等に磁気センサを搭載して上記不正行為の発生を報知することも考えられる。しかしながら、報知が行われたとしても、実際に遊技球が入球手段に入球してしまうので、例えば、遊技ホール関係者は、当該入球に基づく遊技機の動作（賞球、大当たり状態等）を無効にしたり、遊技の続行を断ったりする必要がある。
【０１５４】
本発明は、上記例示した問題点等を解決するためになされたものであり、その目的は、磁石を用いて遊技球を遊技領域の所定領域へと誘導するといった不正行為を防止することのできる遊技機を提供することにある。
【０１５５】
手段１．略鉛直方向に沿って延びる遊技盤と、前記遊技盤の前方において前記遊技盤の前面と略平行して延びる透明部材とを備え、前記遊技盤と前記透明部材との間に、所定の発射装置により発射された遊技球が案内される遊技領域を具備する遊技機であって、
遊技領域の所定部位における遊技球の通過を規制する第１の状態と、前記所定部位における遊技球の通過を許容する第２の状態とに変位可能な可動部材を具備する通過規制手段を備え、
前記可動部材は少なくとも一部が磁性体よりなり、前記透明部材の前面に近付けられた磁石に引き付けられて磁化された遊技球が前記所定部位に近付くと、前記第２の状態にある前記可動部材が、前記磁化された遊技球に引き付けられて前記所定部位へと突出し、前記第１の状態となる構成であって、
前記可動部材は、前記磁化された遊技球が前記所定部位へと至る前の段階で前記磁化された遊技球に引き付けられて前記第２の状態から前記第１の状態へと変位する場合に、前記磁化された遊技球に対して最初に当接する部位、又は最も近接する部位である引導部と、前記第２の状態から前記第１の状態へと変位する前記可動部材の突出方向において前記引導部よりも突出方向先方側に位置する支持部とを備え、
前記支持部は、前記磁化された遊技球の移動方向前方側の面のうち、移動方向最先端部及び当該最先端部よりも前記可動部材の突出方向先方側の部位の少なくとも一部に対して当接可能に構成されることを特徴とする遊技機。
【０１５６】
手段１によれば、第２の状態にある可動部材は、透明部材の前面に近付けられた磁石に引き付けられて磁化された遊技球が近付くと、遊技領域へと突出して第１の状態となる。従って、通過規制手段を適所に配置することによって、磁石によって誘導される遊技球の行く手を阻むようにして可動部材を遊技領域に突出させることができる。結果として、磁石を用いて遊技球を遊技領域の所定領域（例えば、遊技領域を流下する遊技球が入球可能な入球手段等）へと誘導するといった不正行為を防止することができる。
【０１５７】
さらに、本手段によれば、磁石によって遊技球を所定領域へと誘導するといった不正行為の目的が達成される前に（例えば遊技球を入球手段へ不正に入球させる前に）、通過規制手段によって当該遊技球の移動を規制することができるため、遊技球が所定領域へ誘導されてしまうことに起因して、遊技ホールに所定の不利益（賞球、大当たり状態の発生等）が生じてしまうといった事態を回避することができる。結果として、遊技球が所定領域へと誘導されてしまったことに基づく遊技機の動作（賞球、大当たり状態等）を無効にしたり、遊技の続行を断ったりする等といった措置を取らなくて済むため、上記不正行為発生後の対処を比較的スムースに行うことができる。
【０１５８】
また、例えば、可動部材が前後に変位する場合には、可動部材前方における磁化された遊技球の通過を規制するべく、可動部材の先端部と透明部材との距離が遊技球の直径以下となるまで可動部材を前方に突出可能に構成する。これにより、例えば、上方から近付く磁化された遊技球に引き付けられて第１の状態となった可動部材は、磁化された遊技球の下面に当接することとなる。ところが、可動部材の前側上端部と、磁化された遊技球の下面のうち後側（遊技盤側）の部位とが当接する場合には、磁化された遊技球を可動部材に押当てることで、可動部材の前側上端部に対して後方へと向かう力が作用してしまい、これに起因して、可動部材が後方に変位してしまうおそれがある。結果として、可動部材が第２の状態へと変位させられてしまい、可動部材前方において磁化された遊技球の通過を許容してしまうおそれがある。
【０１５９】
この点、本手段１によれば、可動部材は、磁化された遊技球が前記所定部位（例えば可動部材が前方に突出する場合は可動部材の前方）へと至る前の段階で磁化された遊技球に引き付けられて前記第２の状態から前記第１の状態へと変位する場合に、磁化された遊技球に対して最初に当接する部位、又は最も近接する部位（磁化された遊技球の中心からの距離が最も近くなる部位）である引導部よりも可動部材の突出方向先方側（可動部材が前方に突出する場合は前方）に位置する支持部を備えている。これにより、可動部材が第１の状態となり、引導部が磁化された遊技球に可能な限り近接したときには、支持部において磁化された遊技球の移動方向の前方側の面を受けて支持できる状態となっている。
【０１６０】
その上、支持部は、磁化された遊技球の移動方向の前方側の面のうち、移動方向最先端部（磁化された遊技球が鉛直方向に沿って下方に移動する場合には最下点）及び当該最先端部よりも可動部材の突出方向先方側（可動部材が前方に突出する場合には前側）の部位の少なくとも一部に当接する。このため、磁化された遊技球によって当該遊技球を支持する支持部を押圧したとしても、支持部には後方へと向かう力が作用することがない。従って、可動部材が折角第１の状態となったにもかかわらず、遊技球に押圧されることで第２の状態へと変位させられてしまうといった事態を防止することができる。結果として、磁石を用いて遊技球を遊技領域の所定領域へと誘導するといった不正行為をより確実に防止することができる。
【０１６１】
尚、本手段の「磁性体」とは、磁石に引き付けられるが、磁場の中におかれていないときは磁石の性質を有さない「軟磁性体」、「一時磁石」を意味する。また、本手段の「遊技領域」とは「遊技盤と透明部材との間の領域」を意味する。すなわち、狭義としての遊技領域には、「透明部材を介して視認可能であって、遊技球が流下することで当該遊技球が所定の入球手段に入球可能である領域」といった意味があるが、通過規制手段が「発射装置によって打ち出された遊技球を（狭義の）遊技領域の上側へと案内するための案内通路」に設けられることとしても十分に上記作用効果が奏される。例えば、案内通路の出口付近に通過規制手段を設置することで、案内通路において磁石に引き付けた遊技球を狭義の遊技領域へ流入させることが不可能となり、結果として、遊技球を入球手段に誘導して入球させる等といった不正行為を防止することができる。さらに、遊技領域には、遊技盤に設けられ、透明部材を介して視認可能な部材（センターフレーム等）のうち、遊技球の流下可能又は転動可能な部位（ワープ流路、ステージ等）も含まれる。
【０１６２】
尚、「前記磁化された遊技球の移動方向前方側の面」とは、「磁化された遊技球の表面のうち、当該遊技球を移動方向前方側の半球と後方側の半球とに分ける中心線よりも移動方向前方側の部位」といった意味を有する。加えて、「透明部材の前面に近付けられた磁石」とあるのは、磁石を用いて遊技球を所定領域へと誘導するといった不正行為を例示するための記載であり、当然、磁石が透明部材の前面に近接するだけでも、遊技領域を流下する遊技球が磁石に引き付けられて磁化されるような場合には、磁化された遊技球に引き付けられて可動部材が第２の状態から第１の状態へと変位する。
【０１６３】
手段２．前記所定部位における遊技球の移動方向を限定する進路限定手段を備え、前記支持部は前記引導部よりも前記所定部位における遊技球の移動方向前方側に位置することを特徴とする手段１に記載の遊技機。
【０１６４】
例えば、磁化された遊技球が鉛直方向に沿って上方から可動部材に接近する場合、支持部を引導部よりも下方に位置させておくことで、前記遊技球が可動部材の直上方に位置したときに、引導部を当該遊技球に最も近接し得る部位とするとともに、支持部を引導部よりも前方に位置させることができる。すなわち、可動部材が前方に突出することで第１の状態となる構成の場合には、当該可動部材の前端部上側をＬ字状に切り欠くようにして段差部を形成し、段差部の上側の角状部を引導部とし、下側の角状部を支持部とすることが考えられる。しかしながら、かかる可動部材に対し、磁化された遊技球が上方から接近する場合には上記手段１の作用効果が奏されるのであるが、磁化された遊技球が側方から接近する場合には、引導部が必ずしも磁化された遊技球に対して最も近接する部位とならないため、上記手段１の作用効果が奏されないおそれがある。
【０１６５】
この点、手段２によれば、前記所定部位における遊技球の移動方向を限定する進路限定手段が設けられている。このため、上記不具合を払拭することができ、磁化された遊技球の移動方向に対する引導部と支持部との位置関係を、確実に上記手段１の作用効果を奏し得る位置関係とすることができる。
【０１６６】
また、可動部材の突出方向における先端部の形状を、上記要件（支持部が引導部よりも可動部材の突出方向先方側、かつ、前記所定部位における遊技球の移動方向前方側に位置する等）を満たす形状とすることで、第１の状態にある可動部材の第２の状態となる側への変位を規制できることから、例えば、第１の状態にある可動部材と当接して第２の状態となる側への変位を規制する規制部材や、規制部材を変位させる駆動手段等の別部材を設けるような構成に比べ、構成の簡素化を図ることができる。
【０１６７】
手段３．前記支持部に対して、前記所定部位における遊技球の移動方向先方側の面のうち移動方向最先端部及び当該最先端部よりも前記可動部材の突出方向先方側の部位の少なくとも一部を当接させた遊技球の外形状に沿って球を描いた場合に、前記可動部材のうち前記引導部と前記支持部との間の部位が当該球の外周側に位置していることを特徴とする手段２に記載の遊技機。
【０１６８】
手段３によれば、磁化された遊技球の移動方向前方側の面のうち、移動方向最先端部及び当該最先端部よりも可動部材の突出方向先方側の部位の少なくとも一部を確実に支持部に当接させることができる。また、支持部が磁化された遊技球に当接したときに、磁化された遊技球の移動方向前方側の面のうち、移動方向最先端部よりも可動部材の基端部側の部位に対して可動部材が当接することがないため、磁化された遊技球を可動部材に押付けることで、可動部材に第２の状態となる側への力が作用し、磁化された遊技球と支持部との位置関係が変化してしまうといった事態を回避することができる。
【０１６９】
尚、引導部と支持部との間の部位としては、例えば、直線状に延びる複数の辺部（例えば、引導部から下方に直線状に延びる縦辺部と支持部から後方に直線状に延びる横辺部）により構成されたり、引導部から支持部にかけて湾曲しつつ延びる曲線状の辺部により構成されたりするものが挙げられる。
【０１７０】
手段４．略鉛直方向に沿って延びる遊技盤と、前記遊技盤の前方において前記遊技盤の前面と略平行して延びる透明部材とを備え、前記遊技盤と前記透明部材との間に、所定の発射装置により発射された遊技球が案内される遊技領域を具備する遊技機であって、
遊技領域の所定部位における遊技球の通過を規制する第１の状態と、前記所定部位における遊技球の通過を許容する第２の状態とに変位可能な可動部材を具備する通過規制手段を備えるとともに、
前記所定部位における遊技球の移動方向を略鉛直方向に限定する進路限定手段を備え、
前記可動部材は少なくとも一部が磁性体よりなり、前記透明部材の前面に近付けられた磁石に引き付けられて磁化された遊技球が前記所定部位に近付くと、前記第２の状態にある前記可動部材が、前記磁化された遊技球に引き付けられて前方へと突出し、前記第１の状態となる構成であって、
前記可動部材は、上方に近接した前記磁化された遊技球に引き付けられて前記第２の状態から前記第１の状態へと変位する場合に、前記磁化された遊技球に対して最初に当接する部位又は最も近接する部位である引導部と、前記引導部よりも前方かつ下方に位置する支持部とを備え、
前記支持部は、前記透明部材の背面に摺接しつつ接近する前記磁化された遊技球の下面のうち、最下点及び当該最下点よりも前側の部位の少なくとも一部に対して当接可能に構成されることを特徴とする遊技機。
【０１７１】
手段４によれば、基本的に上記手段１、２と同様の作用効果が奏される。尚、遊技球の下面とは、遊技球を上下２つの半球にわける中心線よりも下側の面である。
【０１７２】
手段５．前記第１の状態にある前記可動部材の前記支持部と前記透明部材との間の距離が遊技球の半径以下に構成されている上、
前記支持部に対して、下面のうち最下点及び当該最下点よりも前側の部位の少なくとも一部を当接させた遊技球の外形状に沿って球を描いた場合に、前記可動部材のうち前記引導部と前記支持部との間の部位が当該球の外周側に位置していることを特徴とする手段４に記載の遊技機。
【０１７３】
手段５によれば、透明部材の背面に摺接しつつ接近する磁化された遊技球の下面のうち最下点及び当該最下点よりも前側（前記透明部材側）の部位の少なくとも一部に対して、支持部を確実に当接させることができる。結果として、上記手段４の作用効果が確実に奏される。
【０１７４】
また、支持部と磁化された遊技球とが当接した状態においては、磁化された遊技球の下面のうち最下点よりも後側の部位に対して可動部材が当接しない構成となっている。このため、支持部が磁化された遊技球に当接した状態において、磁化された遊技球を可動部材に押付けることで、可動部材に後方への力が作用し、支持部が磁化された遊技球の最下点や最下点よりも前側の下面を支持できなくなってしまうといった事態を回避することができる。
【０１７５】
手段６．略水平方向における前記引導部と前記支持部との間の距離は、遊技球の半径以上に構成されることを特徴とする手段５に記載の遊技機。
【０１７６】
手段６に記載のように、略水平方向における引導部と支持部との間の距離を遊技球の半径以上とすることで、例えば、引導部と透明部材との距離が遊技球の直径以下となるまで可動部材を前方に突出可能に構成した場合において、引導部に当接した磁化された遊技球を無理やり下方に押圧することで可動部材が後方に変位させられたとしても、当該遊技球の下方に位置する支持部と透明部材との間の距離を遊技球の半径以下に維持することができる。従って、引導部と当接した磁化された遊技球を素早く下方に移動させたとしても、支持部に対し、必ず下面のうち最下点及び最下点よりも前側の部位の少なくとも一部が当接することとなる。結果として、磁石を用いて遊技球を所定領域に誘導するといった不正行為を確実に防止することができる。
【０１７７】
手段７．略鉛直方向における前記引導部と前記支持部との間の距離は、前記略水平方向における前記引導部と前記支持部との間の距離以上に構成されることを特徴とする手段５又は６に記載の遊技機。
【０１７８】
手段７に記載のように、略水平方向における引導部と支持部との間の距離を遊技球の直径以下とするとともに、当該略水平方向における引導部と支持部との間の距離よりも、略鉛直方向における引導部と支持部との間の距離を長くすることで、磁化された遊技球が可動部材の前方に位置する直前の段階において、より確実に引導部を磁化された遊技球に対して最も近接する部位とすることができる。
【０１７９】
手段８．略鉛直方向における前記引導部と前記支持部との間の距離は、遊技球の直径以下に構成されることを特徴とする手段５乃至７のいずれかに記載の遊技機。
【０１８０】
手段８に記載のように、略鉛直方向における引導部と支持部との距離を遊技球の直径以下とすることで、通過規制手段の大型化を防止することができる。尚「略水平方向における前記引導部と前記支持部との間の距離は、遊技球の直径以下に構成されること」としてもよい。当該構成を採用する場合、より確実に通過規制手段の大型化を防止することができる。また、かかる構成を採用することで、より確実に引導部を磁化された遊技球に対して最も近接する部位とするべく、磁石に引き付けられて透明部材の背面に摺接しつつ移動する遊技球に対して引導部を当接可能に構成する場合においては、支持部が透明部材に当接してしまうといった事態を防止することできる。
【０１８１】
手段９．略鉛直方向に沿って延びる遊技盤と、前記遊技盤の前方において前記遊技盤の前面と略平行して延びる透明部材とを備え、前記遊技盤と前記透明部材との間に、所定の発射装置により発射された遊技球が案内される遊技領域を具備する遊技機であって、
遊技領域の所定部位における遊技球の通過を規制する第１の状態と、前記所定部位における遊技球の通過を許容する第２の状態とに変位可能に構成され、かつ、前記第１の状態において、少なくとも前方に上方傾斜する第１の姿勢と、略水平方向に沿って延びる、又は前方に下方傾斜する第２の姿勢とに変位可能な可動部材を具備する通過規制手段を備えるとともに、
前記所定部位における遊技球の移動方向を略鉛直方向に限定する進路限定手段を備え、
前記可動部材は少なくとも一部が磁性体よりなり、前記透明部材の前面に近付けられた磁石に引き付けられて磁化された遊技球が前記所定部位に近付くと、前記第２の状態にある前記可動部材が、前記磁化された遊技球に引き付けられて前方に向けて斜め上方に突出し、前記第１の状態の前記第１の姿勢となる構成であって、
前記可動部材は、上方に近接した前記磁化された遊技球に引き付けられて前記第２の状態から前記第１の状態の前記第１の姿勢へと変位する場合に、前記磁化された遊技球に対して最初に当接する部位又は最も近接する部位である引導部と、前記引導部よりも前方かつ下方に位置する支持部とを備え、
前記第１の状態の前記第２の姿勢にある前記可動部材の前記支持部は、前記透明部材の背面に摺接しつつ接近する前記磁化された遊技球の下面のうち、最下点及び当該最下点よりも前記前側の部位の少なくとも一部に対して当接可能に構成されることを特徴とする遊技機。
【０１８２】
手段９によれば、基本的に上記手段４と同様の作用効果が奏される。また、第２の状態にある可動部材は斜め上方にスライドさせなければ第１の状態とならない。従って、遊技球を磁石に引き付けて誘導するといった不正行為が発生していないのにもかかわらず、遊技機の振動等に起因して第２の状態にある可動部材が第１の状態に変位してしまうといった事態を防止することができる。このため、可動部材が不要に第１の状態となってしまうことに起因して遊技球の流下が阻害され、善意の遊技者に不利益が生じてしまうといった事態を回避することができる。
【０１８３】
また、例えば、可動部材が、第１の状態と第２の状態との間を、第１の状態となる側に向けて上方傾斜した姿勢でスライドするだけの場合には、第１の状態にある可動部材の前端部に対して下向きの力を加えると、可動部材に対して第２の状態となる側への力が作用し、可動部材が第２の状態となる側へ変位してしまうことが懸念される。この点、本手段７によれば、第１の状態において前方に上方傾斜した第１の姿勢にある可動部材の前端部に対して下向きの力を加えると、前端部が下方に向けて傾動し、前方に下方傾斜する、又は長手方向が略水平に延びる第２の姿勢へと変位することとなる。従って、可動部材の前端部に対して下向きの力を加えることで第１の状態にある可動部材に対して第２の状態となる側への力が作用してしまうといった事態を防止することができる。尚、第１の状態において第１の姿勢にある可動部材の支持部（引導部）と透明部材との距離は遊技球の半径以下であることとする。
【０１８４】
尚、第１の状態と第２の状態との間をスライドするだけの構成の場合であっても、「前記第２の状態において静止している前記可動部材は、前記第１の状態となる側に向けて上方傾斜しており、前記第２の状態から前記第１の状態となる際には前記可動部材が斜め上方にスライドする」といった構成を採用してもよい。つまり、前方に上方傾斜する可動部材の傾きがそれ程大きくなければ、可動部材の前端部を下方に押したとしても、基本的に可動部材を回動させるような力となるだけであり、可動部材と通過規制手段本体との間に働く摩擦力や、磁化された遊技球に引き付けられる力等により、可動部材の後方への移動が規制される。
【０１８５】
尚、少なくとも前記第１の状態における前記可動部材の重心は、前記軸部よりも前側に位置していることとしてもよい。この場合、軸部を軸支すると、可動部材は前端部が下方に向かうようにして傾動することとなる。従って、例えば、第１の姿勢にある可動部材から磁石が遠ざかり可動部材が自由に動けるようになると、可動部材は自重により前端部が下方へ向かうようにして傾動し第２の姿勢となる。結果として、一度第１の状態となると当該第１の状態が保持されることとなり、可動部材を視認することで不正行為の有無を把握できるといった作用効果が確実に奏される。
【０１８６】
手段１０．前記第１の状態の前記第２の姿勢にある前記可動部材の前記支持部と前記透明部材との間の距離が遊技球の半径以下に構成されている上、
前記第１の状態の前記第２の姿勢にある前記可動部材の前記支持部に対して、下面のうち最下点及び当該最下点よりも前側の部位の少なくとも一部を当接させた遊技球の外形状に沿って球を描いた場合に、前記可動部材のうち前記引導部と前記支持部との間の部位が当該球の外周側に位置していることを特徴とする手段９に記載の遊技機。
【０１８７】
手段１０によれば、基本的に上記手段５と同様の作用効果が奏される。
【０１８８】
手段１１．前記可動部材が前記第１の状態において前記第２の姿勢にあるときの、略水平方向における前記引導部と前記支持部との間の距離は、遊技球の半径以上に構成されていることを特徴とする手段９又は１０に記載の遊技機。
【０１８９】
手段１１によれば、基本的に上記手段６と同様の作用効果が奏される。尚、第１の状態の第１の姿勢にある可動部材の引導部を、可動部材の直上方に位置する磁化された遊技球に最も近接させるべく、第１の姿勢にある可動部材の略水平方向に対する傾斜角度は４５度以下とすることが望ましい。
【０１９０】
手段１２．前記可動部材が前記第１の状態において前記第２の姿勢にあるときの、略鉛直方向における前記引導部と前記支持部との間の距離は、前記略水平方向における前記引導部と前記支持部との間の距離以上に構成されていることを特徴とする手段９乃至１１のいずれかに記載の遊技機。
【０１９１】
手段１２によれば、基本的に上記手段７と同様の作用効果が奏される。
【０１９２】
手段１３．前記可動部材が前記第１の状態において前記第２の姿勢にあるときの、略鉛直方向における前記引導部と前記支持部との間の距離は、遊技球の直径以下に構成されることを特徴とする手段９乃至１２のいずれかに記載の遊技機。
【０１９３】
手段１３によれば、基本的に上記手段８と同様の作用効果が奏される。尚「前記可動部材が前記第１の状態において前記第２の姿勢にあるときの、略水平方向における前記引導部と前記支持部との間の距離は、遊技球の直径以下に構成されること」としてもよい。当該構成を採用する場合、より確実に通過規制手段の大型化を防止することができる。また、かかる構成を採用することで、より確実に引導部を磁化された遊技球に対して最も近接する部位とするべく、磁石に引き付けられて透明部材の背面に摺接しつつ移動する遊技球に対して引導部を当接可能に構成する場合においては、支持部が透明部材に当接してしまうといった事態を防止することできる。
【０１９４】
手段１４．前記可動部材は、少なくとも前記所定部位への突出方向における先端部が磁性体により構成され、
前記引導部は磁性体よりなる前記突出方向における先端部において形成されていることを特徴とする手段１乃至１３のいずれかに記載の遊技機。
【０１９５】
手段１４によれば、例えば、可動部材の先端部が非磁性体より構成される場合に比べ、可動部材に接近する磁化された遊技球に対応して、可動部材がより早い段階（可動部材と磁化された遊技球との距離がより離れている段階で）で突出し始めることができる。このため、磁石に誘導されて移動する遊技球が所定部位（可動部材の前方）を通過する前に、より確実に可動部材を第１の状態とすることができる。また、引導部は磁性体よりなる部位において形成されているため、磁化された遊技球に引導部が引き付けられるようにして、磁化された遊技球に対して引導部が最も近接し得るように、可動部材をスムースに突出させることができる。
【０１９６】
手段１５．前記可動部材は磁性体により一体的に形成されていることを特徴とする手段１乃至１４のいずれかに記載の遊技機。
【０１９７】
手段１５によれば、可動部材を複数のパーツから構成する場合に比べ、製造作業性の向上等を図ることができる。尚、「通過規制手段は、遊技盤に取付固定される本体部と、本体部に対して変位可能に設けられる可動部材とからなり、前記本体部は（樹脂又は金属により）一体的に形成されること」としてもよい。この場合、部品点数の増加を抑制でき、製造作業性の向上等を図ることができる。
【０１９８】
以下に、上記各手段が適用される各種遊技機の基本構成を示す。
【０１９９】
Ａ．上記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２００】
Ｂ．上記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２０１】
Ｃ．上記遊技機は、パチンコ機又はパチンコ機に準ずる遊技機であること。
【符号の説明】
【０２０２】
１０…パチンコ機、１１…外枠、１２…内枠、１４…前面枠セット、１５…下皿、１９…上皿、３０…遊技盤、３３…入球手段としての第１契機対応ユニット、１３７…透明部材としてのガラスユニット、２６１…主制御装置、３１１…払出制御装置、４０１…通過規制手段としての通過規制役物、４０２…役物本体、４０３…可動部材としての規制突起、４０５…基部、４０６…収容部、４１６…ガイド孔、４５２…ガイド突起、４６１…段差部、４６２…縦辺部、４６３…横辺部、４６５…引導部としての第１角状部、４６６…支持部としての第２角状部。
【図１】
0005614430.tif 000002
【図２】
0005614430.tif 000003
【図３】
0005614430.tif 000004
【図４】
0005614430.tif 000005
【図５】
0005614430.tif 000006
【図６】
0005614430.tif 000007
【図７】
0005614430.tif 000008
【図８】
0005614430.tif 000009
【図９】
0005614430.tif 000010
【図１０】
0005614430.tif 000011
【図１１】
0005614430.tif 000012
【図１２】
0005614430.tif 000013
【図１３】
0005614430.tif 000014
【図１４】
0005614430.tif 000015
【図１５】
0005614430.tif 000016
【図１６】
0005614430.tif 000017
【図１７】
0005614430.tif 000018